(57)【要約】【課題】携帯端末に対して位置情報に基づいたコンテンツを提供する。【解決手段】位置情報とウェブリソースのＵＲＬとが関連付けて記憶されたコンテンツ位置データベース２５０を記憶部にそなえ、携帯端末１０と通信可能に接続された位置コンテンツ提供サーバ２００は、前記携帯端末１０から、現在の位置情報を受信することで当該携帯端末の位置を特定し、前記特定した位置情報を基準に、前記コンテンツ位置データベース２５０から、所定の範囲内にある位置情報に関連付けられたＵＲＬを抽出し、前記抽出されたＵＲＬを前記携帯端末に提供する。【選択図】図１
2015185119.tif 000002
【特許請求の範囲】
【請求項１】
位置情報とウェブリソースのＵＲＬとが関連付けて記憶されたコンテンツ位置データベースを記憶部にそなえ、携帯端末と通信可能に接続された位置コンテンツ提供サーバであって、
前記携帯端末から、現在の位置情報を受信することで当該携帯端末の位置を特定する位置情報特定手段と、
前記特定した位置情報を基準に、前記コンテンツ位置データベースから、所定の範囲内にある位置情報に関連付けられたＵＲＬを抽出するコンテンツ抽出手段と、
前記抽出されたＵＲＬを前記携帯端末に提供する位置コンテンツ提供手段と、
を備えることを特徴とする位置コンテンツ提供サーバ。
【請求項２】
前記携帯端末から、利用しているアクセスポイントのＩＰアドレス又はＳＳＩＤを受信するＩＰアドレス受信手段と、
を備え、前記携帯端末の位置を特定する際には、前記受信したＩＰアドレス又はＳＳＩＤを用いて特定することを特徴とする請求項１に記載の位置コンテンツ提供サーバ。
【請求項３】
前記携帯端末からドメインを受信するドメイン受信手段と、
を備え、前記位置コンテンツの提供は、前記抽出されたＵＲＬを前記受信したドメインが指すものとして送信することにより実現することを特徴とする請求項１又は２のいずれかに記載の位置コンテンツ提供サーバ。
【請求項４】
前記位置コンテンツの提供は、前記抽出されたＵＲＬへ携帯端末のアクセスをリダイレクトすることで実現することを特徴とする請求項１乃至３のいずれか一項に記載の位置コンテンツ提供サーバ。
【請求項５】
位置情報とウェブリソースのＵＲＬとが関連付けて記憶されたコンテンツ位置データベースを記憶部にそなえ、携帯端末と通信可能に接続された位置コンテンツ提供サーバが実行する位置コンテンツ提供方法であって、
前記携帯端末から、利用しているアクセスポイントのＩＰアドレスを受信するステップと、
前記受信したＩＰアドレスを用いて、携帯端末の現在の位置を特定するステップと、
前記受信した位置情報を基準に、前記コンテンツ位置データベースから、所定の範囲内にある位置情報に関連付けられたＵＲＬを抽出するステップと、
前記抽出されたＵＲＬを前記携帯端末に提供するステップと、
を備えることを特徴とする位置コンテンツ提供方法。
【請求項６】
位置情報とウェブリソースのＵＲＬとが関連付けて記憶されたコンテンツ位置データベースを記憶部にそなえ、携帯端末と通信可能に接続された位置コンテンツ提供サーバに、
前記携帯端末から、利用しているアクセスポイントのＩＰアドレスを受信するステップ、
前記受信したＩＰアドレスを用いて、携帯端末の現在の位置を特定するステップ、
前記受信した位置情報を基準に、前記コンテンツ位置データベースから、所定の範囲内にある位置情報に関連付けられたＵＲＬを抽出するステップ、
前記抽出されたＵＲＬを前記携帯端末に提供するステップ、
を実行させることを特徴とする位置コンテンツ提供サーバ用プログラム。
【発明の詳細な説明】
【技術分野】
【０００１】
本発明は、位置情報に基づいたコンテンツを提供する位置コンテンツ提供サーバ、位置コンテンツ提供方法、位置コンテンツ提供サーバ用プログラムに関する。
【背景技術】
【０００２】
近年、スマートフォンやタブレットと呼ばれる高機能携帯端末の普及によって、ユーザが外出先や、移動しながらコンテンツを利用する機会が爆発的に増えている。また、各地でもユーザが外出先で閲覧することを期待したコンテンツが増加している。
【０００３】
一方で、現在ユーザの多くは検索エンジンを用いてウェブコンテンツを閲覧しており、ユーザが見たいものを見るといういわゆるプル型のコンテンツ提供が主流となり、せっかくのコンテンツがユーザまで届かないといった問題が発生している。
【０００４】
このような課題に対して、取得したユーザ顔画像を用いることにより、ユーザに事前登録作業を行わせることなく、ユーザの属性を利用したレコメンドを行うレコメンドシステムが開示されている。
【先行技術文献】
【特許文献】
【０００５】
【特許文献１】特開２０１３−７３４２０号公報
【発明の概要】
【発明が解決しようとする課題】
【０００６】
特許文献１によれば、携帯端末が、ユーザの顔画像を取得し、取得したユーザの顔画像から特徴量を抽出し、抽出した特徴量をレコメンドサーバに送信し、レコメンドサーバは、携帯端末から特徴量を受信し、少なくとも複数の特徴量を格納し、受信した特徴量と格納された特徴量とのマッチング処理を行い、マッチング結果に基づいて、アプリケーション等のレコメンドを行って、レコメンド結果を携帯端末に送信する。そして、携帯端末が、レコメンドサーバからレコメンド結果を受信し、受信したレコメンド結果を表示する構成が開示されている。
【０００７】
しかしながら、特許文献１に記載の方法では、顔という属人的な情報に基づいた推薦しか行えないため、場所や時簡帯などの環境の情報に基づくレコメンドを行う事ができないという問題が残っていた。
【０００８】
本発明は、これらの要請を鑑み、ＧＰＳや公衆無線ＬＡＮの利用情報からユーザの現在位置を特定した後、その位置に関連したコンテンツのＵＲＬをユーザに提供することで、ユーザに位置情報に応じたコンテンツを提供できる位置コンテンツ提供サーバ、位置コンテンツ提供方法、位置コンテンツ提供サーバ用プログラムを提供することを目的とする。
【課題を解決するための手段】
【０００９】
本発明では、以下のような解決手段を提供する。
【００１０】
第１の特徴に係る発明は、位置情報とウェブリソースのＵＲＬとが関連付けて記憶されたコンテンツ位置データベースを記憶部にそなえ、携帯端末と通信可能に接続された位置コンテンツ提供サーバであって、
前記携帯端末から、現在の位置情報を受信することで当該携帯端末の位置を特定する位置情報特定手段と、
前記特定した位置情報を基準に、前記コンテンツ位置データベースから、所定の範囲内にある位置情報に関連付けられたＵＲＬを抽出するコンテンツ抽出手段と、
前記抽出されたＵＲＬを前記携帯端末に提供する位置コンテンツ提供手段と、
を備えることを特徴とする位置コンテンツ提供サーバを提供する。
【００１１】
第１の特徴に係る発明によれば、位置情報とウェブリソースのＵＲＬとが関連付けて記憶されたコンテンツ位置データベースを記憶部にそなえ、携帯端末と通信可能に接続された位置コンテンツ提供サーバは、前記携帯端末から、現在の位置情報を受信することで当該携帯端末の位置を特定し、前記特定した位置情報を基準に、前記コンテンツ位置データベースから、所定の範囲内にある位置情報に関連付けられたＵＲＬを抽出し、前記抽出されたＵＲＬを前記携帯端末に提供する。
【００１２】
ここで、第１の特徴に係る発明は位置コンテンツ提供サーバのカテゴリであるが、位置コンテンツ提供方法、位置コンテンツ提供サーバ用プログラムのカテゴリにおいても、同様の作用・効果を発揮する。
【００１３】
第２の特徴に係る発明は、前記携帯端末から、利用しているアクセスポイントのＩＰアドレス又はＳＳＩＤを受信するＩＰアドレス受信手段と、
を備え、前記携帯端末の位置を特定する際には、前記受信したＩＰアドレス又はＳＳＩＤを用いて特定することを特徴とする第１の特徴に係る発明である位置コンテンツ提供サーバを提供する。
【００１４】
第２の特徴に係る発明によれば、第１の特徴に係る発明である位置コンテンツ提供サーバは、前記携帯端末から、利用しているアクセスポイントのＩＰアドレス又はＳＳＩＤを受信し、前記携帯端末の位置を特定する際には、前記受信したＩＰアドレス又はＳＳＩＤを用いて特定する。
【００１５】
第３の特徴に係る発明は、前記携帯端末からドメインを受信するドメイン受信手段と、
を備え、前記位置コンテンツの提供は、前記抽出されたＵＲＬを前記受信したドメインが指すものとして送信することにより実現することを特徴とする第１又は第２の特徴に係る発明である位置コンテンツ提供サーバを提供する。
【００１６】
第３の特徴に係る発明によれば、第１又は第２の特徴に係る発明である位置コンテンツ提供サーバは、前記携帯端末からドメインを受信し、前記位置コンテンツの提供は、前記抽出されたＵＲＬを前記受信したドメインが指すものとして送信することにより実現する。
【００１７】
第４の特徴に係る発明は、前記位置コンテンツの提供は、前記抽出されたＵＲＬへ携帯端末のアクセスをリダイレクトすることで実現することを特徴とする第１から第３のいずれかの特徴に係る発明である位置コンテンツ提供サーバを提供する。
第４の特徴に係る発明によれば、第１から第３のいずれかの特徴に係る発明である位置コンテンツ提供サーバは、前記位置コンテンツの提供は、前記抽出されたＵＲＬへ携帯端末のアクセスをリダイレクトすることで実現する。
【００１８】
第５の特徴に係る発明は、位置情報とウェブリソースのＵＲＬとが関連付けて記憶されたコンテンツ位置データベースを記憶部にそなえ、携帯端末と通信可能に接続された位置コンテンツ提供サーバが実行する位置コンテンツ提供方法であって、
前記携帯端末から、利用しているアクセスポイントのＩＰアドレスを受信するステップと、
前記受信したＩＰアドレスを用いて、携帯端末の現在の位置を特定するステップと、
前記受信した位置情報を基準に、前記コンテンツ位置データベースから、所定の範囲内にある位置情報に関連付けられたＵＲＬを抽出するステップと、
前記抽出されたＵＲＬを前記携帯端末に提供するステップと、
を備えることを特徴とする位置コンテンツ提供方法を提供する。
【００１９】
第６の特徴に係る発明は、位置情報とウェブリソースのＵＲＬとが関連付けて記憶されたコンテンツ位置データベースを記憶部にそなえ、携帯端末と通信可能に接続された位置コンテンツ提供サーバに、
前記携帯端末から、利用しているアクセスポイントのＩＰアドレスを受信するステップ、
前記受信したＩＰアドレスを用いて、携帯端末の現在の位置を特定するステップ、
前記受信した位置情報を基準に、前記コンテンツ位置データベースから、所定の範囲内にある位置情報に関連付けられたＵＲＬを抽出するステップ、
前記抽出されたＵＲＬを前記携帯端末に提供するステップ、
を実行させることを特徴とする位置コンテンツ提供サーバ用プログラムを提供する。
【発明の効果】
【００２０】
本発明によれば、ＧＰＳや公衆無線ＬＡＮの利用情報からユーザの現在位置を特定した後、その位置に関連したコンテンツのＵＲＬをユーザに提供することで、ユーザに位置情報に応じたコンテンツを提供できる位置コンテンツ提供サーバ、位置コンテンツ提供方法、位置コンテンツ提供サーバ用プログラムを提供することが可能となる。
【図面の簡単な説明】
【００２１】
【図１】図１は、位置コンテンツ提供システム１の概要を表した図である。
【図２】図２は、位置コンテンツ提供システム１の全体構成図である。
【図３】図３は、携帯端末１０、位置コンテンツ提供サーバ２００、ウェブサーバ３００の機能ブロック図である。
【図４】図４は、携帯端末１０、位置コンテンツ提供サーバ２００、ウェブサーバ３００が実行する、位置コンテンツ提供処理の手順を示すフローチャートである。
【図５】図５は、位置コンテンツ提供サーバ２００がＤＮＳとしてはたらく時の概要を示した模式図である。
【図６】図６は、受信したコンテンツを表示する携帯端末１０の表示部の一例である。
【図７】図７は、位置コンテンツ提供サーバ２００がＤＮＳとしてはたらく時のコンテンツ位置データベース２５０内のコンテンツ位置テーブルの一例である。
【図８】図８は、位置コンテンツ提供サーバ２００がウェブサーバとしてはたらく時のコンテンツ位置データベース２５０内のコンテンツ位置テーブルの一例である。
【発明を実施するための形態】
【００２２】
以下、本発明を実施するための最良の形態について図を参照しながら説明する。なお、これはあくまでも一例であって、本発明の技術的範囲はこれに限られるものではない。
【００２３】
［位置コンテンツ提供システム１の概要］
図１は、本発明の好適な実施形態である位置コンテンツ提供システム１の概要を説明するための図である。位置コンテンツ提供システム１は、携帯端末１０及び、位置コンテンツ提供サーバ２００、ウェブサーバ３００から構成される。
【００２４】
位置コンテンツ提供システム１において、はじめに携帯端末１０は、ＧＰＳシステム（Ｇｌｏｂａｌ  Ｐｏｓｉｔｉｏｎｉｎｇ  Ｓｙｓｙｔｅｍ）５によって取得した緯度経度情報や、公衆無線ＬＡＮ接続ポイント２０との接続情報や、基地局との通信情報を用いて、携帯端末１０の現在の位置を特定する（ステップＳ０１）。そして、特定した位置を表す位置情報を、位置コンテンツ提供サーバ２００に送信する（ステップＳ０２）。
【００２５】
位置情報を受信した位置コンテンツ提供サーバ２００は、受信した位置情報から所定の範囲内にある位置情報と関連付けられたコンテンツのＵＲＬ（Ｕｎｉｆｏｒｍ  Ｒｅｓｏｕｒｃｅ  Ｌｏｃａｔｏｒ）を、コンテンツ位置データベース２５０から抽出する（ステップＳ０３）。ここで、所定の範囲とは一般に距離が一定以下である円形を想定しているが、矩形やその他の図形が表す範囲内であってもよい。
【００２６】
次に位置コンテンツ提供サーバ２００は、抽出したＵＲＬを携帯端末１０に送信する（ステップＳ０４）。なお、抽出されたＵＲＬが複数ある場合には、現在位置から最も近いものを選択してもよいし、予め定められた重み付けを参照して、最も重みの大きいコンテンツを選択してもよい。
【００２７】
ＵＲＬを受信した携帯端末１０は、当該ＵＲＬに基づいてウェブサーバ３００にリクエストを送信する（ステップＳ０５）。ウェブサーバ３００は、レスポンスとしてウェブページや画像、動画を携帯端末１０に送信する（ステップＳ０６）。携帯端末１０上で実行されるウェブブラウザや動画再生ソフト等が受信したデータを再生することで、携帯端末１０上でコンテンツを再生可能である（ステップＳ０７）。
【００２８】
ここで、原則として位置コンテンツ提供サーバ２００は、コンテンツのＵＲＬを提供するのみで、コンテンツそれ自体は提供しない。位置コンテンツ提供サーバ２００上に記憶されたコンテンツに留まらず、位置情報と他サーバにあるコンテンツの関連についての情報を提供することで、扱える情報が増えるためである。
【００２９】
以上が、位置コンテンツ提供システム１の概要である。
【００３０】
［位置コンテンツ提供システム１のシステム構成］
図２は、本発明の好適な実施形態である位置コンテンツ提供システム１のシステム構成図である。位置コンテンツ提供システム１は、携帯端末１０、位置コンテンツ提供サーバ２００、ウェブサーバ３００、及び、公衆回線網３（インターネット網や第３世代、第４世代通信網など）から構成される。
【００３１】
携帯端末１０は、後述の機能を備え、データ通信を行うことが可能であり、携帯して移動しながら利用される家庭用又は業務用の電化製品である。携帯端末１０は、例えば、携帯電話、携帯情報端末に加え、スマートフォン、タブレット端末、ネットブック端末、スレート端末、電子書籍端末、携帯型音楽プレーヤ等の情報家電であってよい。
【００３２】
位置コンテンツ提供サーバ２００は、後述の機能を備え、携帯端末１０の位置情報に応じたコンテンツのＵＲＬを提供するサーバである。
【００３３】
ウェブサーバ３００は、携帯端末１０にウェブコンテンツを提供するための一般的なウェブサーバであってよい。
【００３４】
［各機能の説明］
図３に基づいて、各装置の構成について説明する。
【００３５】
携帯端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。
【００３６】
また、携帯端末１０は、入出力部１３として、制御部で制御したデータや画像を出力表示する表示部と、ユーザからの入力を受付けるタッチパネルやキーボード、マウスに加え、ＧＰＳといった位置情報を取得可能なデバイスを備える。
【００３７】
携帯端末１０において、制御部１１が所定のプログラムを読み込むことで、通信部１２と協働して、位置情報送信モジュール１４、ＩＰアドレス送信モジュール１５、ドメイン送信モジュール１６、ウェブアクセスモジュール１７を実現する。また、携帯端末１０において、制御部１１が所定のプログラムを読み込むことで、入出力部１３と協働して、位置情報取得モジュール１８を実現する。
【００３８】
位置コンテンツ提供サーバ２００は、携帯端末１０と同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイス又は、有線ケーブルによる接続可能とするデバイス等の、他の電化製品、及び無線アクセスポイントとのデータ通信を実現するデバイスを備える。また、位置コンテンツ提供サーバ２００は、データやファイルを記憶する記憶部２０３として、ハードディスクや半導体メモリ、記録媒体、メモリカード等によるデータのストレージ部を備える。記憶部２０３には、コンテンツ位置データベース２５０が含まれる。
【００３９】
なお、無線アクセスポイントは、携帯端末１０等がＳＳＩＤを利用してＷｉＦｉ接続される装置であって、この装置から、外部のインターネット等に接続される装置であってよい。無線アクセスポイントが有するＩＰアドレスの一つは、グローバルＩＰアドレスであって、世界中で一つに決められることから、このＩＰアドレスと位置情報を予めテーブル等で関係づけておくことで、無線アクセスポイントのＩＰアドレスに応じて位置が特定される。
【００４０】
位置コンテンツ提供サーバ２００において、制御部２０１が所定のプログラムを読み込むことで、通信部２０２と協働して、位置情報特定モジュール２０４、位置コンテンツ提供モジュール２０５、ＩＰアドレス受信モジュール２０６、ドメイン受信モジュール２０７を実現する。また、位置コンテンツ提供サーバ２００において、制御部２０１が所定のプログラムを読み込むことで、記憶部２０３と協働して、コンテンツ抽出モジュール２０８を実現する。
【００４１】
ウェブサーバ３００は、携帯端末１０と同様に、制御部３０１として、ＣＰＵ，ＲＡＭ，ＲＯＭ等を備え、通信部３０２として、例えば、ＩＥＥＥ８０２．１１に準拠したＷｉＦｉ対応デバイス又は、有線ケーブルによる接続可能とするデバイス等の、他の電化製品、及び無線アクセスポイントとのデータ通信を実現するデバイスを備える。
【００４２】
ウェブサーバ３００において、制御部３０１が所定のプログラムを読み込むことで、通信部３０２と協働して、ウェブコンテンツ提供モジュール３０３を実現する。
【００４３】
［位置コンテンツ提供処理］
図４は、携帯端末１０、位置コンテンツ提供サーバ２００、ウェブサーバ３００が実行するアプリインストール処理のフローチャートである。上述した各装置のモジュールが行う処理について、本処理にて併せて説明する。
【００４４】
はじめに、携帯端末１０の位置情報取得モジュール１８はＧＰＳ等の位置情報取得デバイスや、公衆無線ＬＡＮの接続情報を利用することで、携帯端末１０の現在の位置を特定し位置情報を取得する（ステップＳ１１）。
【００４５】
次に、携帯端末１０の位置情報送信モジュール１４、又はＩＰアドレス送信モジュール１５は、携帯端末１０の位置情報、又は携帯端末１０が接続している無線アクセスポイントのＩＰアドレスもしくはＳＳＩＤ（Ｓｅｒｖｉｃｅ  Ｓｅｔ  Ｉｄｅｎｔｉｆｉｅｒ）を位置コンテンツ提供サーバ２００に送信する（ステップＳ１２）。
【００４６】
位置コンテンツ提供サーバ２００の位置情報特定モジュールは、これを受信し（ステップＳ１３）、受信した位置情報又はＩＰアドレスもしくはＳＳＩＤから、携帯端末１０の現在位置を特定する（ステップＳ１４）。ここで、位置情報を受信した場合には、それを携帯端末１０の位置として特定する。一方でＩＰアドレス又はＳＳＩＤを受信した場合には、ＩＰアドレス又はＳＳＩＤからアクセスポイントの位置を特定し、それを携帯端末１０の現在位置として特定する。
【００４７】
次に、位置コンテンツ提供サーバ２００のコンテンツ抽出モジュール２０８は、特定した位置情報から所定の範囲内にあるコンテンツのＵＲＬを、コンテンツ位置データベース２５０から抽出する（ステップＳ１５）。
【００４８】
図７は、位置コンテンツ提供サーバ２００がＤＮＳ（Ｄｏｍａｉｎ  Ｎａｍｅ  Ｓｙｓｔｅｍ）としてはたらく時のコンテンツ位置データベース２５０内のコンテンツ位置テーブルの一例である。コンテンツ位置テーブルにおいて、コンテンツのＵＲＬと、コンテンツの位置情報とが関連付けられて記憶されている。更に、コンテンツ位置テーブルには各コンテンツについて要求ドメインが関連付けられており、特定のドメインと位置情報の組み合わせにより、情報を出し分けることが可能となっている。
【００４９】
一方で、図８は、位置コンテンツ提供サーバ２００がウェブサーバとしてはたらく時のコンテンツ位置データベース２５０内のコンテンツ位置テーブルの一例である。コンテンツ位置テーブルにおいて、コンテンツのＵＲＬと、コンテンツの位置情報とが関連付けられて記憶されている点はＤＮＳの場合と同様だが、ドメインの関連付けがなくなっている。これは、ＤＮＳの場合と異なり、そもそも位置コンテンツ提供サーバ２００を示すドメインが指定されない限り、位置コンテンツ提供サーバ２００にリクエストが送信されないためである。そのため、仮にドメインを設定したとしても、それは位置コンテンツ提供サーバ２００にアクセス可能なドメインに限定される。
【００５０】
ここで、コンテンツ位置テーブル内の各コンテンツには、重み付けがされていてよい。これは、所定の範囲内に複数コンテンツがあった際、どのコンテンツを選択するかにおいて参照されるべきものである。重み付けは、位置コンテンツ提供サーバ２００がＤＮＳとしてはたらく場合であっても、ウェブサーバとしてはたらく場合であっても、同様に設定されていてよい。位置コンテンツ提供サーバ２００の位置コンテンツ提供モジュール２０５は、抽出したコンテンツのＵＲＬを携帯端末１０に送信する（ステップＳ１６）。
【００５１】
図５は、位置コンテンツ提供サーバ２００がＤＮＳとしてはたらく時の概要を示した模式図である。通常のＤＮＳサーバ１５０との通信において、リクエスト５１のように携帯端末１０がドメイン「ｗｗｗ．ｓａｇａ．ｊｐ」について問い合わせると、ＤＮＳはドメインのＡレコードを参照し、レスポンス５２のようにドメインが指すＩＰアドレスである「２００．１６８．９．ＸＸ」を応答する。
【００５２】
一方、位置コンテンツ提供サーバ２００がＤＮＳとしてはたらく場合、携帯端末１０からのリクエスト５３には、ドメイン「ｗｗｗ．ｓａｇａ．ｊｐ」に加え、位置情報又はアクセスポイントのＩＰアドレスもしくはＳＳＩＤが送信される。位置コンテンツ提供サーバ２００からは、レスポンス５４として、上記の処理により抽出されたＵＲＬを送信する。
【００５３】
携帯端末１０のウェブアクセスモジュール１７は、コンテンツのＵＲＬを受信すると（ステップＳ１７）、ＵＲＬでアクセス先として指定されたウェブサーバ３００にコンテンツの要求を送信する（ステップＳ１８）。
【００５４】
以降は通常のウェブブラウジングと同様で、ウェブサーバ３００のウェブコンテンツ提供モジュール３０３はリクエストを要求すると（ステップＳ１９）、リクエストに対応したウェブページや画像、動画、ストリーミング配信等をレスポンスとして送信し（ステップＳ２０）、携帯端末１０のウェブアクセスモジュール１７がこれを受信して、コンテンツとして再生を行う（ステップＳ２１）。
【００５５】
図６は、受信したコンテンツを表示する携帯端末１０の表示部の一例である。図６においては、ユーザが要求したドメインをコンテンツのドメインに変換したことの詳細をポップアップ６１として表示し、ウェブコンテンツ６３を表示している。アドレスバー６２に表示されるドメインは、変換前のものであってもよいし、コンテンツのＵＲＬのものであってもよい。
【００５６】
以上が、携帯端末１０、位置コンテンツ提供サーバ２００、及びウェブサーバ３００が実行する位置コンテンツ提供処理の処理手順である。
【００５７】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５９】
１  位置コンテンツ提供システム、１０  携帯端末、２００  位置コンテンツ提供サーバ、２５０  コンテンツ位置データベース、３００  ウェブサーバ
【図１】
2015185119.tif 000003
【図２】
2015185119.tif 000004
【図３】
2015185119.tif 000005
【図４】
2015185119.tif 000006
【図５】
2015185119.tif 000007
【図６】
2015185119.tif 000008
【図７】
2015185119.tif 000009
【図８】
2015185119.tif 000010